(57)【要約】【課題】通信モードを実現するための手段と放送モードを実現するための手段との間に効率的な連動を遂行させるデジタル放送受信兼用移動通信端末及び文字メッセージ処理方法を提供する。【解決手段】本発明は、デジタル放送受信用移動通信端末１００であって、前記移動通信端末に伝送される文字メッセージを受信し、その受信された文字メッセージを所定形式のデータパケットに変換して出力する電話モジュール１１０と、前記電話モジュールから前記所定形式のデータパケットを受信し、デジタル放送データを出力中の画面の少なくとも一部に前記文字メッセージを出力する放送機能モジュール１２０とを含むことを特徴とする。【選択図】  図２
2006005944.tif 000002
【特許請求の範囲】
【請求項１】
デジタル放送受信用移動通信端末であって、
前記移動通信端末に伝送される文字メッセージを受信し、その受信された文字メッセージを所定形式のデータパケットに変換して出力する電話モジュールと、
前記電話モジュールから前記所定形式のデータパケットを受信し、デジタル放送データを出力中の画面の少なくとも一部に前記文字メッセージを出力する放送モジュールと
を含むことを特徴とするデジタル放送受信兼用移動通信端末。
【請求項２】
前記電話モジュールは、
文字メッセージを貯蔵する第１の貯蔵部と、
前記貯蔵された文字メッセージを前記所定形式のデータパケットに変換して前記放送モジュールに出力し、前記文字メッセージの受信を前記放送モジュールで知らせる電話制御部と
を含むことを特徴とする請求項１記載のデジタル放送受信兼用移動通信端末。
【請求項３】
前記所定形式のデータパケットは、
文字メッセージを貯蔵するペイロードデータ貯蔵領域と、
前記文字メッセージの開始を知らせる開始コードを貯蔵する開始コード貯蔵領域と、
前記文字メッセージの発信者情報を貯蔵する発信者情報貯蔵領域と、
前記文字メッセージの伝達のためのペイロードデータの開始と終了を表すフラグを貯蔵するフラグ貯蔵領域と、
前記文字メッセージの伝達のための前記ペイロードデータの一連の順序情報を貯蔵する順序情報貯蔵領域と、
前記ペイロードデータ貯蔵領域のうち、有効な部分の長さに関する情報を貯蔵する有効長さ貯蔵領域と
を含むことを特徴とする請求項１記載のデジタル放送受信兼用移動通信端末。
【請求項４】
前記放送モジュールは、
前記電話モジュールから伝送された前記データパケットを貯蔵する第２の貯蔵部と、
予め設定された出力オプションに基づいて前記第２の貯蔵部に貯蔵された前記データパケットを処理し、デジタル放送データ出力中の画面を利用して前記文字メッセージを出力するように制御する放送制御部と、
前記放送制御部の制御により前記デジタル放送データの出力中である画面の少なくとも一部に前記文字メッセージを出力する表示部と
を含むことを特徴とする請求項１記載のデジタル放送受信兼用移動通信端末。
【請求項５】
前記放送制御部は、前記文字メッセージ表示ウィンドウが前記デジタル放送データ出力中の画面の一部にオン-スクリーン-ディスプレー(Ｏｎ Ｓｃｒｅｅｎ  Ｄｉｓｐｌａｙ)方式でポップアップされるように制御することを特徴とする請求項４記載のデジタル放送受信兼用移動通信端末。
【請求項６】
前記放送制御部は、前記文字メッセージ表示ウィンドウが前記デジタル放送データ出力中の画面の一部に表示され、前記文字メッセージが前記文字メッセージ表示ウィンドウでスライドするように制御すること
を特徴とする請求項４記載のデジタル放送受信兼用移動通信端末。
【請求項７】
前記放送制御部は、前記文字メッセージを表示する前に、予め設定された情報に基づいて文字受信通知動作を遂行するように制御することを特徴とする請求項４記載のデジタル放送受信兼用移動通信端末。
【請求項８】
前記放送制御部は、前記文字受信通知メッセージを前記画面の一部にオン-スクリーン-ディスプレー方式で表示されるように制御することを特徴とする請求項７記載のデジタル放送受信兼用移動通信端末。
【請求項９】
前記放送制御部は、前記文字受信を知らせるための特定の指標を前記画面の一部に表示することを特徴とする請求項７記載のデジタル放送受信兼用移動通信端末。
【請求項１０】
電話モジュールと放送モジュールを含む移動通信端末の文字メッセージ処理方法であって、
文字メッセージを受信する段階と、
前記電話モジュールが前記受信された文字メッセージを所定形式のデータパケットに変換する段階と、
前記データパケットを前記放送モジュールに伝達する段階と、
前記放送モジュールが前記データパケットから前記文字メッセージを分析し、デジタル放送データの出力中の画面の少なくとも一部に前記文字メッセージを出力する段階と、
を含むことを特徴とする方法。
【請求項１１】
前記変換段階は、
前記文字メッセージを貯蔵するためのペイロードデータ貯蔵領域と、
前記文字メッセージの開始を知らせる開始コードを貯蔵する開始コード貯蔵領域と、
前記文字メッセージの発信者情報を貯蔵する発信者情報貯蔵領域と、
前記文字メッセージを伝達するためのペイロードデータの開始と終了を表すフラグを貯蔵するフラグ貯蔵領域と、
前記文字メッセージの伝達のための前記ペイロードデータに対する一連の順序情報を貯蔵する順序情報貯蔵領域と、
前記ペイロードデータ貯蔵領域のうち、有効な部分の長さに関する情報を貯蔵する有効長さ貯蔵領域と
を含むフォーマットに前記文字メッセージのフォーマットを変換することを特徴とする請求項１０記載の方法。
【請求項１２】
前記出力段階は、前記文字メッセージを前記デジタル放送データ出力中の画面の一部にオン-スクリーン-ディスプレー方式でポップアップさせることを特徴とする請求項１０記載の方法。
【請求項１３】
前記出力段階は、前記文字メッセージを前記デジタル放送データ出力中である画面の一部に所定の形式でスライドさせることを特徴とする請求項１０記載の方法。
【請求項１４】
前記出力段階は、前記文字メッセージをディスプレーする前に、予め設定された情報に基づいて文字受信通知機能を遂行する段階を含むこと
を特徴とする請求項１０記載の方法。
【請求項１５】
前記文字受信通知機能の遂行段階は、前記文字受信通知メッセージを前記デジタル放送データ出力中の画面の一部にオン-スクリーン-ディスプレー方式で表示することを特徴とする請求項１４記載の方法。
【請求項１６】
前記文字受信通知機能遂行段階は、前記文字受信を知らせるための特定マークを前記デジタル放送データ出力中である画面の一部に表示することを特徴とする請求項１４記載の方法。
【発明の詳細な説明】
【技術分野】
【０００１】
本発明は、デジタル放送プログラム情報を案内するデジタル放送受信用端末及びその方法に関するもので、特に、デジタル放送データ出力中に受信される文字メッセージ(例えば、ＳＭＳ(Ｓｈｏｒｔ  Ｍｅｓｓａｇｅ  Ｓｅｒｖｉｃｅ)メッセージ)を処理するデジタル放送受信兼用移動通信端末及び文字メッセージ処理方法に関するものである。
【背景技術】
【０００２】
一般的にデジタル放送とは、従来のアナログ放送の代わりに高画質、高音質をユーザーに提供する、より高いレベルのサービス放送サービスを意味する。最近では、デジタル放送技術及び移動通信技術の発達によってデジタル放送サービスに対する関心が高まっている。特に、移動通信端末を利用したデジタル-マルチメディア-放送(Ｄｉｇｉｔａｌ  Ｍｕｌｔｉｍｅｄｉａ  Ｂｒｏａｄｃａｓｔｉｎｇ：以下、“ＤＭＢ”とする)サービスが人気を博している。ここで、ＤＭＢとは、無指向性受信アンテナを装着した個人携帯用受信器または車両用受信器などを通じて移動中にも多様なマルチメディア放送を多チャンネルで視聴できるようにする放送サービスを意味する。
【０００３】
図１は、ＤＭＢサービスの実現のためのシステム構成を示す例示図である。図１を参照すれば、ＤＭＢサービスの実現のためのシステムは、データ送出センター１０と、衛星２０と、受信装置（例えば、移動通信端末３０、車両用受信器４０、及び家庭用受信器５０）とを含む。データ送出センター１０は、デジタル-マルチメディア-放送データ(例えば、画像、音声、及びデータ信号など)を圧縮した後に変調して衛星２０に送出する。衛星２０は、データ送出センター１０から送出された信号を受信して増幅した後に、周波数変換して地上に再伝送する。受信装置３０，４０，５０は、衛星２０から再伝送された信号を受信して復調後に、圧縮されたデータを解凍して元の信号に各々変換して出力する。
【０００４】
特に、移動通信端末３０は、従来の移動通信サービスを提供するための通信モードと、デジタル放送サービスを提供するための放送モードのうちいずれか一つで動作する。従来の移動通信端末３０は、効率よく、同時に通信し、放送を受信することができないため、これら２種類の動作は同時に遂行されることができない。したがって、従来では移動通信端末３０が放送モードで動作中にＳＭＳメッセージが受信された場合に、これをリアルタイムでユーザーに知らせることができない。
【０００５】
このように、ユーザが移動通信端末３０を用いてＤＭＢを視聴中にＳＭＳメッセージの通信を行うことは不可能であり、これはユーザー及びＳＭＳ伝送者にとって不便であるという問題があった。
【発明の開示】
【発明が解決しようとする課題】
【０００６】
したがって、本発明の目的は、通信モードを実現するための手段と放送モードを実現するための手段との間に効率的な連動を遂行させるデジタル放送受信兼用移動通信端末及び文字メッセージ処理方法を提供することにある。
【０００７】
また、本発明の目的は、放送モードで動作中に受信されたＳＭＳメッセージを処理可能にするデジタル放送受信兼用移動通信端末を提供することにある。
【０００８】
本発明の他の目的は、ユーザーがデジタル放送サービスを便利に利用できるデジタル放送受信兼用移動通信端末を提供することにある。
【課題を解決するための手段】
【０００９】
上記のような目的を達成するために、本発明は、デジタル放送受信用移動通信端末であって、前記移動通信端末に伝送される文字メッセージを受信し、その受信された文字メッセージを所定形式のデータパケットに変換して出力する電話モジュールと、前記電話モジュールから前記所定形式のデータパケットを受信し、デジタル放送データを出力中の画面の少なくとも一部に前記文字メッセージを出力する放送モジュールとを含むことを特徴とする。
【００１０】
また、本発明は、電話モジュールと放送モジュールを含む移動通信端末の文字メッセージ処理方法であって、文字メッセージを受信する段階と、前記電話モジュールが前記受信された文字メッセージを所定形式のデータパケットに変換する段階と、前記データパケットを前記放送モジュールに伝達する段階と、前記放送モジュールが前記データパケットから前記文字メッセージを分析し、デジタル放送データの出力中の画面の少なくとも一部に前記文字メッセージを出力する段階とを含むことを特徴とする。
【発明の効果】
【００１１】
本発明は、移動通信端末が放送モード動作中に電話モジュールを通じて受信されたＳＭＳメッセージが、ＤＭＢモジュールを通じて表示が可能にする。それによって、デジタル放送受信兼用移動通信端末のユーザーがデジタル放送サービスを便利に利用可能にする効果を有する。
【発明を実施するための最良の形態】
【００１２】
以下、本発明の望ましい実施形態を添付の図面を参照して詳細に説明する。
以下に、本発明に係る公知の機能及び構成について、本発明の要旨を不明にすると判断された場合に、その詳細な説明を省略する。
【００１３】
図２は、本発明の実施形態によるデジタル放送受信兼用移動通信端末を示す概略的ブロック構成図である。図２を参照すれば、本発明の実施形態による移動通信端末１００は、携帯電話機能を制御する携帯電話機能モジュール(又は、電話モジュール)１１０と、放送受信機能を制御する放送機能モジュール(又は、ＤＭＢモジュール)１２０とを含む。
【００１４】
電話（ｐｈｏｎｅ）モジュール１１０は、携帯電話機能を有する移動通信端末の全般的な機能を制御する電話制御部１１１(図２の例では、ＭＳＭ(Ｍｏｂｉｌｅ  Ｓｔａｔｉｏｎ  Ｍｏｄｅｍ)チップで実現される)と、携帯電話機能を有する移動通信端末の全般的な機能に関連した情報を、表示する第１の表示部(例えば、Ｌｉｑｕｉｄ  Ｃｒｙｓｔａｌ  Ｄｉｓｐｌａｙ)（以下、第１のＬＣＤという)１１２と、オーディオ信号を入力するマイク１１３と、ユーザーの操作に基づいた制御命令をＭＳＭ１１１に入力するキーパッド１１４と、携帯電話機能の遂行に関連したオーディオ信号を出力する第１のスピーカー１１５と、携帯電話機能を有する移動通信端末の全般的な機能に関連した情報を貯蔵する第１の貯蔵部１１６と、を含む。このとき、第１のスピーカー１１５は、受話器(receiver)として動作する。
【００１５】
一方、ＤＭＢモジュール１２０は、ＤＭＢデータを受信するＤＭＢ受信部１２２と、ＤＭＢデータを処理してユーザーに提供するための情報として出力するＤＭＢ制御部１２１と、ＤＭＢ制御部１２１から出力された画像情報を表示する第２の表示部（以下、第２のＬＣＤという）１２３と、ＤＭＢ制御部１２１から出力されたオーディオ信号を出力する第２のスピーカー１２４と、ＤＭＢサービスの提供に関連した情報を貯蔵する第２の貯蔵部１２５と、を含む。このとき、第２のスピーカー１２４は、マルチメディア情報に含まれたオーディオ情報を出力するための装置であって、ステレオ(stereo)機能が実現される。また、第２のＬＣＤ１２３は、マルチメディア情報に含まれた画像情報を出力するためのものである。第２のスピーカー１２４と第２のＬＣＤ１２３は、デジタル放送を出力するための出力インターフェース部を構成する。出力インターフェース部は、デジタル放送の形態により、スピーカーとＬＣＤのうちのいずれか一つだけで構成されることも可能である。例えば、デジタルオーディオ放送の場合にはスピーカーだけで出力インターフェース部が構成される。
【００１６】
以下の説明では、電話モジュール１１０とＤＭＢモジュール１２０が相互に物理的に分離されると仮定する。しかしながら、電話モジュール１１０とＤＭＢモジュール１２０の全部又は一部を一つのチップで構成することもできる。例えば、移動通信網を通じて受信されるデータを処理する部分と、デジタル放送データを処理する部分とが、一つのチップで構成可能である。特に、ＣＤＭＡ(Ｃｏｄｅ  Ｄｉｖｉｓｉｏｎ  Ｍｕｌｔｉｐｌｅ  Ａｃｃｅｓｓ)方式の移動通信とＣＤＭ(Ｃｏｄｅ  Ｄｉｖｉｓｉｏｎ  Ｍｕｌｔｉｐｌｅｘ)方式を使用するＤＭＢの場合に、一つの統合されたチップで実現しても良い。ここで、移動通信網を通したデータの受信と処理を遂行する部分は電話モジュール１１０に該当し、ＤＭＢデータを受信して処理する部分はＤＭＢモジュール１２０に該当することを留意すべきである。
【００１７】
また、第１及び第２のスピーカー１１５、１２４だけでなく、第１のＬＣＤ１１２と第２のＬＣＤ１２３は、各々ハードウェアー的に分離されても、或いは統合されて実現されても良い。
【００１８】
上記のような移動通信端末１００は、放送データを受信して出力中に電話モジュール１１０によって受信されるＳＭＳメッセージをＤＭＢモジュール１２０に伝達して出力する。
【００１９】
このため、電話制御部１１１は、移動通信端末１００が放送を受信する動作中に電話モジュール１１０により受信されるＳＭＳメッセージを第１の貯蔵部１１６に貯蔵し、そのＳＭＳメッセージのフォーマットを変換してＤＭＢモジュール１２０に伝送する。例えば、電話制御部１１１は、受信されたＳＭＳメッセージを予め設定された固定サイズ(例えば、１６４ｂｙｔｅｓ)を有する所定のデータフォーマットに変換し、ＤＭＢモジュール１２０に伝達する。図６に、この電話モジュール１１０とＤＭＢモジュール１２０との間に伝達されたＳＭＳメッセージのフォーマットの一例を示す。したがって、ＳＭＳメッセージのフォーマットに関する具体的な説明は、図６を参照して後述する。
【００２０】
ＤＭＢ制御部１２１は、電話制御部１１１を通じて伝送されたＳＭＳメッセージを第２の貯蔵部１２５に貯蔵した後に、予め設定された出力オプションによってＳＭＳメッセージを出力するように第２のＬＣＤ１２３を制御する。例えば、ＳＭＳメッセージをＯＳＤ(Ｏｎ  Ｓｃｒｅｅｎ  Ｄｉｓｐｌａｙ)形態で第２のＬＣＤ１２３にポップアップ(ｐｏｐ  ｕｐ)させ、或いは、第２のＬＣＤ１２３に表示された画像の下部にスライド又はスクロール方式で表示するように制御する。
【００２１】
図３は、本発明の実施形態による移動通信端末の内部モジュール間の連動構造の例を示すブロック構成図である。特に、図３は、電話モジュール１１０に含まれた第１の貯蔵部１１６と、ＤＭＢモジュール１２０に含まれた第２の貯蔵部１２５との間の連動構造を示す図である。図３に示すように、第１の貯蔵部１１６と第２の貯蔵部１２５は、各々電話制御部１１１及びＤＭＢ制御部１２１の制御により動作する。第１の貯蔵部１１６と第２の貯蔵部１２５は、バスを通じてＦＩＦＯ(Ｆｉｒｓｔ  Ｉｎ  Ｆｉｒｓｔ  Ｏｕｔ)構造のＤＰＲＡＭ(Ｄｕａｌ  Ｐｏｒｔ  Ｒａｎｄｏｍ  Ａｃｃｅｓｓ  Ｍｅｍｏｒｙ)１３０と接続して連動される。このとき、電話モジュール１１０とＤＭＢモジュール１２０内のそれぞれに含まれた各機能部間の連動は、多様な方法で実現可能である。したがって、図３はこのような多様な方法のうちの一例を示しているにすぎず、図３に例示した方法によって連動構造が限定されるものではない。
【００２２】
図４は、本発明の実施形態による文字メッセージ処理方法を示す処理手順図である。特に、移動通信端末１００が放送モードで動作中に受信されたＳＭＳメッセージの処理方法に関する手順図である。
【００２３】
図２及び図４を参照すれば、放送モードで動作中である移動通信端末１００にＳＭＳメッセージが伝送されると、その移動通信端末１００の電話モジュール１１０は、予め設定されたＳＭＳ処理ルーチンによりＳＭＳメッセージを受信する。ＳＭＳメッセージが受信されると（Ｓ１１０）、このＳＭＳメッセージは第１の貯蔵部１１６に貯蔵される（Ｓ１２０）。すると、電話制御部１１１は、ＳＭＳメッセージをユーザーインタフェース(Ｕｓｅｒ  Ｉｎｔｅｒｆａｃｅ：ＵＩ)が理解できる形態(例えば、テキスト)のデータに変換し、この変換されたフォーマットでデータを貯蔵する。電話制御部１１１は、ＳＭＳメッセージを予め設定された固定サイズ(例えば、１６４ｂｙｔｅｓ)のデータフォーマットに変換し（Ｓ１３０）、ＤＭＢモジュール１２０にこの変換されたＳＭＳメッセージを伝送する（Ｓ１４０）。ここで、図６に、電話モジュール１１０とＤＭＢモジュール１２０との間に伝送されるＳＭＳメッセージのフォーマットの一例を示す。その後、ＤＭＢモジュール１２０は、このＳＭＳメッセージを第２の貯蔵部１２５に貯蔵する（Ｓ１５０）。
【００２４】
次に、電話モジュール１１０は、変換されたＳＭＳメッセージをＤＭＢモジュール１２０に伝送した後に、ＤＭＢモジュール１２０にＳＭＳメッセージが受信されることを知らせる（Ｓ１６０）。これを受けて、電話モジュール１１０は、所定のイベント(ｅｖｅｎｔ)を発生させ、このイベントをＤＭＢモジュール１２０に伝送する。
【００２５】
そして、ＤＭＢモジュール１２０は、イベントが受信されると、貯蔵されているＳＭＳメッセージを読み出し（Ｓ１７０）、予め設定された出力オプションに基づいてＳＭＳメッセージを出力する（Ｓ１８０）。このようなＳＭＳメッセージの出力過程は、図５に例示する。
【００２６】
図５は、本発明の実施形態によるＳＭＳメッセージの出力過程(Ｓ１８０)を示すフローチャートである。図２及び図５を参照すれば、ＤＭＢモジュール１２０は、まずＳＭＳメッセージの受信を表す受信通知機能が設定されているか否かを判断する（Ｓ１８１）。その結果、受信通知機能が設定された場合に、ＤＭＢ制御部１２１は、ＳＭＳメッセージの受信をユーザーに知らせる（Ｓ１８３）。例えば、図８Ａに示すように、ＳＭＳメッセージが受信されたことと、ユーザーにＳＭＳメッセージを確認するか否かの選択を要求することを示すメッセージウィンドウ３１０を画面に表示(例えば、ポップアップ)する。望ましく、メッセージウィンドウ３１０は、ユーザーの見ているＤＭＢ表示を妨げないように透明性を持たせる。図８Ｂに示すように、ＳＭＳメッセージの受信を知らせるための所定指標(ｉｎｄｉｃａｔｏｒ)(例えば、アイコン)３２０は画面の一部に表示される。このとき、指標３２０は、移動通信端末１００のキーパッドに含まれたキーのうちのいずれか一つに連動され、このキーを押すことによってアイコンが選択されて、アイコンの示す機能を呼び出せることが望ましい。例えば、図８Ｂに示したように、指標３２０が手紙封筒形態のシンボルを含み、且つ、移動通信端末１００のキーパッドは類似したシンボルを有するキーを備える。そして、このキーは、該当するＳＭＳメッセージを読み出すために選択される。
【００２７】
ＳＭＳメッセージの受信通知過程(Ｓ１８３)を遂行すると、ＤＭＢ制御部１２１は、ＳＭＳメッセージ出力オプションを確認し(Ｓ１８５)、その後、予め設定されたＳＭＳメッセージ出力オプションによって第２の貯蔵部１２５に貯蔵されたＳＭＳメッセージを出力する(Ｓ１８７)。例えば、ＳＭＳメッセージの全体が表示部上に表示されるポップアップ（ｐｏｐ-ｕｐ）で出力される、或いは、ディスプレー上にスライドされる、或いは、ディスプレーの下部にスクロールされる。そして、ＤＭＢ制御部１２１は、いずれのＳＭＳメッセージ出力オプションが選択されるかを識別し、この選択された出力オプションによってＳＭＳメッセージを出力する。このとき、ポップアップ方式、スライド及びスクロール方式は例として提供されるだけで、ＳＭＳメッセージ出力オプションがポップアップ方式、スライド方式、或いはスクロール方式に限定されるものではない。例えば、前述した出力方式の代案として、ＳＭＳメッセージは画面の幅に合せた所定の長さでユーザーのキー入力により１行ずつディスプレーすることも可能である。
【００２８】
図９Ａは、ＳＭＳメッセージ出力オプションがポップアップ方式である場合に、ＳＭＳメッセージウィンドウ３３０が画面上にポップアップされることを示す例示図である。また、図９Ｂは、ＳＭＳメッセージ出力オプションがスライド方式である場合に、ＳＭＳメッセージが画面の下部の所定領域３４０にディスプレーされることを示す例示図である。図９Ａに示すように、ＳＭＳメッセージ出力オプションがポップアップ方式である場合に、ＳＭＳメッセージウィンドウ３３０が放送データの出力中である画面の中央にポップアップされることが望ましい。また、図９Ｂに示すように、ＳＭＳメッセージ出力オプションがスライド方式である場合に、ＳＭＳメッセージウィンドウ３３０が放送データの出力中である画面の最下部にディスプレーされることが望ましい。また、スクロール方式の場合に、ＳＭＳメッセージを表示するためのウィンドウが画面の特定部位にオープンされ、文字メッセージの内容がメッセージ表示ウィンドウ内で順次に上方又は下方へ移動しながらディスプレーされることが望ましい。
【００２９】
一方、上記のように表示されたＳＭＳメッセージウィンドウの終了はＤＭＢ制御部１２１によって自動制御され、或いはユーザーの要求により遂行されることが望ましい。例えば、予め設定された所定の表示時間のみでＳＭＳメッセージウィンドウをディスプレーし、その表示時間が経過すればＳＭＳメッセージウィンドウを除去し、或いは、ＳＭＳメッセージウィンドウを継続してディスプレーし、ユーザーが終了命令を入力することによってＳＭＳメッセージウィンドウを除去することが望ましい。
【００３０】
図６は、本発明の実施形態により、移動通信端末の内部モジュール間に伝送されるＳＭＳメッセージ２００のデータフォーマットを示す図である。図２及び図６を参照すれば、ＳＭＳメッセージ２００は、全体長さが１６４ｂｙｔｅｓに固定され、４ｂｙｔｅｓのヘッダー領域と１６０ｂｙｔｅｓのペイロード領域２６０を含む。特に、ヘッダー領域には、開始コード領域２１０、ＩＤ領域２２０、フラグ領域２３０、カウント領域２４０、及び長さ領域２５０を含む。
【００３１】
開始コード領域２１０は、８ビットの長さを有し、ＤＭＢ制御部１２１に該当ＳＭＳメッセージの開始位置を示すコードを貯蔵する。
【００３２】
ＩＤ領域２２０は、８ビットの長さを有し、相互に異なる種類のパケットを多重化、及び逆多重化するために用いられる領域である。例えば、異なる発信者から多数のＳＭＳメッセージを受信したときに、そのＳＭＳメッセージの発信者を識別するための情報を貯蔵する。
【００３３】
フラグ領域２３０は、４ビットの長さを有し、ＳＭＳメッセージが２つ以上のパケットで表現されるときにパケット間の接続関係を示す情報を貯蔵する。すなわち、１６０ｂｙｔｅｓ以上のペイロードデータを伝達しようとするときに、そのデータの順序を決定するための情報を貯蔵する。例えば、４ビットのうちの３番目のビットは、該当パケットがペイロードデータの最初のパケットであることを示し、４番目のビットは、該当パケットが１６０ｂｙｔｅｓ以上のペイロードデータの最後のパケットであることを示す。１番目のビット（ＭＳＢ：Ｍｏｓｔ  Ｓｉｇｎｉｆｉｃａｎｔ  Ｂｉｔ）と２番目のビットは将来のための予備領域である。このようなフラグ領域に対する活用例は、図７Ａ〜図７Ｄに例示する。
【００３４】
図７Ａは、フラグ領域２３０の第３番目のビットと第４番目のビットがすべて“１”である場合を示す例であって、これは該当パケットのペイロードデータが１６０ｂｙｔｅｓ以下であることを示す。すなわち、単一パケットで構成されたＳＭＳメッセージの場合に、フラグ領域２３０の活用例を示す。
【００３５】
図７Ｂは、フラグ領域２３０の３番目のビットが“１”で、４番目のビットが“０”である場合を示す例であって、１６０バイト以上のペイロードデータを載せて伝送する場合にフラグフィールドに対する該当パケットがペイロードデータの１番目のパケットであることを示す。
【００３６】
図７Ｃは、フラグ領域２３０の３番目のビットと４番目のビットがすべて“０”である場合を示す例であって、これはペイロードデータが１６０ｂｙｔｅｓ以上を含んで、該当パケットが最初のパケットでもなく、かつ最後のパケットでもないことを示す。すなわち、１６０ｂｙｔｅｓ以上のペイロードデータの中間パケットであることを示す。このように、該当パケットが、１６０ｂｙｔｅｓ以上のペイロードデータの中間パケットである場合に、後述するカウント領域２４０は、中間パケットの順序を決定するために使用される。
【００３７】
図７Ｄは、フラグ領域２３０の３番目のビットが“０”で、４番目のビットが“１”である場合を示す例示図であって、これはペイロードデータが１６０ｂｙｔｅｓ以上で、該当パケットが最後のパケットであることを示す。
【００３８】
カウント領域２４０は、４ビットの長さを有し、多数のパケットで存在するペイロードデータに対するシリアルナンバーであって、このシリアルナンバーはＩＤ別に相互に異なるように付与される。この番号は、順序を決定する情報として活用されるだけでなく、伝送中に失われるパケットに関する情報としても活用される。
【００３９】
長さ領域２５０は、８ビットの長さを有し、ペイロードに有効な部分の長さを示す。すなわち、長さ領域２５０は、固定された１６０ｂｙｔｅｓのペイロードデータ領域のうち、有効な部分の長さに関する情報を提供する。
【００４０】
本発明は、上述したようなフォーマットのＳＭＳメッセージを電話モジュール１１０からＤＭＢモジュール１２０に伝達することによって、ＤＭＢの視聴中であるユーザーにＳＭＳメッセージを提供できるようになる。特に、ＳＭＳメッセージフォーマットが固定された長さを有することによって、伝送効率を向上させることができる。
【００４１】
以上、本発明の説明では具体的な実施形態に関して説明したが、様々の変形が本発明の範囲から外れない限り実施可能である。したがって、本発明の範囲は説明した実施形態によって定められることではなく、特許請求の範囲及びこれと均等なものに基づいて定められるべきである。
【図面の簡単な説明】
【００４２】
【図１】デジタル-マルチメディア-放送(ＤＭＢ)サービスを実現するためのシステム構成を示す例示図である。
【図２】本発明の実施形態によるデジタル放送受信兼用移動通信端末を示す概略的ブロック構成図である。
【図３】本発明の実施形態による移動通信端末で、内部モジュール間の連動構造を例示するブロック構成図である。
【図４】本発明の実施形態による文字メッセージ処理方法を示す処理手順図である。
【図５】本発明の実施形態による文字メッセージ出力過程を示すフローチャートである。
【図６】本発明の実施形態による移動通信端末の内部モジュール間に転送される文字メッセージを示すデータフォーマット図である。
【図７Ａ】本発明の実施形態による文字メッセージのフラグ領域を示す例示図である。
【図７Ｂ】本発明の実施形態による文字メッセージのフラグ領域を示す例示図である。
【図７Ｃ】本発明の実施形態による文字メッセージのフラグ領域を示す例示図である。
【図７Ｄ】本発明の実施形態による文字メッセージのフラグ領域を示す例示図である。
【図８Ａ】本発明の実施形態により、デジタル放送データの出力中に文字メッセージが受信されることを知らせるための画面を示す例示図である。
【図８Ｂ】本発明の実施形態により、デジタル放送データの出力中に文字メッセージが受信されることを知らせるための画面を示す例示図である。
【図９Ａ】本発明の実施形態により、デジタル放送データの出力中に受信された文字メッセージの内容を表示するための画面を示す例示図である。
【図９Ｂ】本発明の実施形態により、デジタル放送データの出力中に受信された文字メッセージの内容を表示するための画面を示す例示図である。
【符号の説明】
【００４３】
１００  デジタル放送受信用移動通信端末
１１０  電話モジュール
１１１  電話制御部
１１２  第１の表示部
１１６  第１の貯蔵部
１２０  ＤＭＢモジュール
１２１  ＤＭＢ放送制御部
１２３  第２の表示部
２１０  開始コード領域
２２０  ＩＤ領域
２３０  フラグ領域
２４０  カウント領域
２５０  長さ領域
２６０  ペイロード領域
【図１】
2006005944.tif 000003
【図２】
2006005944.tif 000004
【図３】
2006005944.tif 000005
【図４】
2006005944.tif 000006
【図５】
2006005944.tif 000007
【図６】
2006005944.tif 000008
【図７Ａ】
2006005944.tif 000009
【図７Ｂ】
2006005944.tif 000010
【図７Ｃ】
2006005944.tif 000011
【図７Ｄ】
2006005944.tif 000012
【図８Ａ】
2006005944.tif 000013
【図８Ｂ】
2006005944.tif 000014
【図９Ａ】
2006005944.tif 000015
【図９Ｂ】
2006005944.tif 000016